(57)【要約】【課題】複数の対象物を比較する場合その対象物の形状を把握するのには、従来から３面図、鳥瞰図などで表現された図面、写真などを基に比較していた。  対象物が記載された、書面またはモニタ画面の限られたスペースの制限があり、表示された図面・写真の縮尺の違いなどで、判断が難しいことがある。【解決手段】複数の対象物を比較するときに従来の方法では、各面からの図面または写真を複数枚提示が必要であり、限られたモニタ画面上では、詳細まで表現することができなかったが、立体画像を取り込み、その画像が移動、回転させることが可能としたことで、対象物を前後左右好きな部位から眺めることが可能となり、限られたモニタ画面を有効に使うことで、より詳細な表示が可能になり、また複数の対象物を同時に表示し、それらの相対的な寸法を比較することで、対象物を比較することが簡単になる。【選択図】図１
2005063148.tif 000002
【特許請求の範囲】
【請求項１】
モニタ画面上で、対象物の立体画像を三次元的に表示する制御プログラムを装備している画像制御方法において、
画像表示される複数の対象物と各付帯情報とを有する対象物情報群を表示するステップと、
前記対象物情報群から比較すべき複数の対象物を選択するカーソル操作で、その選択対象物を同一画面上に各立体画像単位で並列に表示すると共に、当該対象物に共通する表示項目を表示するステップと、
前記表示項目を選択するカーソル操作で、同一画面上に、当該項目についての立体画像と比較情報を表示するステップと、
を含むことを特徴とする３Ｄ画像表示方法。
【請求項２】
前記表示項目の選択カーソル操作により、表示されている複数の対象物すべてが、その表示項目に従った表示の向きに画面上で転回するステップを含むことを特徴とする、請求項１に記載の３Ｄ画像表示方法。
【請求項３】
前記選択対象物の立体画像の１つの部分をカーソル操作で指定して、その部分の名称、機能、および寸法の幾つかを、付帯情報として表示するステップを含むことを特徴とする、請求項１または２に記載の３Ｄ画像表示方法。
【請求項４】
前記選択対象物の立体画像の１つの部分をカーソル操作で指定して、立体画像の移動、転回、拡大、縮小を操作することを特徴とする、請求項１または２に記載の３Ｄ画像表示方法。
【請求項５】
前記選択対象物を表示するときに、初期値として、それら対象物の大きさを示す付帯情報を基に相対的な寸法を合わせて、画像を表示する部分に入る大きさで表示することを特徴とする、請求項１または２に記載の３Ｄ画像表示方法。
【請求項６】
クライアント端末からインターネットブラウザを用いて、サーバに接続し、前記サーバからダウンロードしたデータおよび前記画像制御方法における制御プログラムにより、クライアント端末に画像表示することを特徴とする、請求項１ないし３の何れか１項に記載の３Ｄ画像表示方法。
【請求項７】
対象物の立体画像を三次元的に表示する制御プログラムを用いて、モニタ画面上に当該対象物を転回可能に表示する画像制御システムにおいて、
データベース・サーバーから画像表示される複数の対象物と各付帯情報とを有する対象物情報群を抽出し、モニタ画面に表示するデータの取り出し手段と、
前記対象物情報群から比較すべき複数の対象物を選択するカーソル操作により、その選択対象物を同一画面上に各立体画像単位で並列に表示すると共に、当該対象物に共通する表示項目を表示する対象物選択手段と、
前記表示項目を選択するカーソル操作で、同一画面上に、当該項目についての比較情報を表示する対象物情報表示手段と、
を含むことを特徴とする３Ｄ画像表示システム。
【発明の詳細な説明】
【技術分野】
【０００１】
複数の対象物を選択し、その立体画像をモニタ画面上に表示して、立体画像をカーソル（マウス）操作により、移動、回転させることができる３Ｄ画像表示方法に関する。
【背景技術】
【０００２】
対象物の画像を表示する際に、より詳細に表示するには、その対象物の正面、側面、背面などの画像または図面により表示することが必要であったが、３Ｄ画像表示技術により、画像の移動、転回ができるようになり、一つの画像または図面による表示が可能となった。
【０００３】
【特許文献１】特開２００３−１６８１３２号公報
【発明の開示】
【発明が解決しようとする課題】
【０００４】
複数の対象物を比較する場合その対象物の形状を把握するのには、従来から３面図、鳥瞰図などで表現された図面、写真などを基に比較していた。
コンピュータのモニタ画面上で比較するときには、限られたスペースの中に多くの図面、写真を並べて比較することが、困難であった。
【課題を解決するための手段】
【０００５】
本発明は、特許文献１の３Ｄ画像制御技術を用いて、選択された複数の対象物の立体画像をモニタ上に表示させ、それらの立体画像の相対的な寸法を合わせて表示し、またそれらの立体画像を独立に移動、転回することで、その対象物の正面、側面、背面などを表示することが可能な３Ｄ画像表示方法である。
【発明の効果】
【０００６】
複数の対象物の立体画像を表示し、その画像を移動、回転させることで、対象物を前後左右好きな部位から眺めることが可能となり、限られたモニタ画面上でも、より詳細な表示が可能になり、また複数の対象物の相対的な大きさ合わせて表示することで、複数の対象物を比較することが簡単になる。
【０００７】
また、立体画像を表示するモニタ画面に同時に対象物の説明文、仕様などを同時に表示することで、対象物に対する理解向上が期待できる。
本実施例のインターネット上の販売においては、販売者にとっては、仮想空間上により多くの商品を並べることが可能となり、購入者にとっては、多くの商品の中から候補をしぼり、モニタ上で比較し、その立体画像を移動、転回し、好きな方向から見ることが可能となり、また部分の拡大も可能なことで、商品の選択が簡単になる。
【発明を実施するための最良の形態】
【０００８】
商品を比較する例として、インターネットを経由する場合には、ｗｅｂサーバに複数の商品の仕様、画像データ、３Ｄデータ、３Ｄ動作プログラムを格納しておく。
商品比較のホームページを作成しクライアント端末から、このホームページをアクセスし商品を購入するインターネットショッピングにおいて、その商品としてデジタルカメラを例として、動作・作用の説明をする。
【実施例１】
【０００９】
販売者のｗｅｂサーバには、各社のデジタルカメラの立体画像を含む各種情報がデータとして格納されている。
購入者がｗｅｂサイトにアクセスすると、図１に示すような画面が表示される。
購入者は機種を選択する際に、本実施例では、選択方法として、「メーカ」、「価格帯」、「画素数」、「重さ」が表示され、この中から選択方法を決め、該当の場所をクリックする。
【００１０】
図２では、選択方法として「メーカ」を指定した場合で「Ａ社」から「Ｄ社」が表示されている。
ボタンをクリックすると、指定されたメーカで登録されている情報として、デジタルカメラのイメージ画像と機種名、価格などのリストが表示される。
この中から候補を決めて、該当機種をクリックすると指定された機種の代表画像が比較エリア（本実施例では選択ボタンの上方）に表示される。
図３はメーカ指定後に１機種選択した状態で比較エリアに選択した画像を表示している状態を示す。
別のメーカの機種を選択するときには、再度、選択方法として「メーカ」を指定し、同様の操作により、２つ目の代表画像が比較エリアに追加表示される。
同一画面上で比較可能な数は、商品の大きさ画面のデザインなどから、予めサーバの管理者によりその最大値が決められているが、クライアント端末から比較する数を指定してもよい。
【００１１】
実施例では、２つの商品を比較する場合について、述べる。
２つの商品の画像がモニタ上に表示された後、図３において右上に位置する「比較」ボタンをクリックすると、サーバから選択された商品に関するデータ（画像データを含む）と３Ｄ画像表示のソフトウェアをダウンロードし、選択された３Ｄ画像と商品仕様がモニタ画面上に表示されるとともに、比較項目の指定ボタンが表示される。
図４は「比較」ボタンを押した後の状態を示す。
【００１２】
図４に示すように、本実施例では、最初の表示は主な機能で、画像はその商品の識別がしやすい面からの画像が表示され、その下方に機能・仕様が表示される。
最初に表示する画像は、商品のデータからその寸法を読出し、比較エリアの大きさに入るように、複数の商品の相対的な寸法を合わせて表示する。
表示する複数の商品のなかで最大の物品が、比較エリアで転回させたときにはみ出す部分が少なくなる拡大／縮小率に指定して、他の物品はこの拡大／縮小率に合わせて表示する。
【００１３】
比較項目を指定することにより、３Ｄ画面は予め設定された比較項目がよく見える位置に表示している複数の立体画像を転回させる。
その項目がカバー、扉等で隠れている場合には、カバー又は扉等を開ける動作を表示して、指定された比較項目を表示する。
デジタルカメラの例では、レンズの項目を指定すると、レンズカバーが開き、レンズが出てくる動作を動画像で再現する。
【００１４】
カーソルを表示画像の近くに合わせると、図５に示すように「⇔」のマークとその寸法が表示される。
画像上の位置にカーソルを合わせるとその部分の機能・名称が表示される。図６の例では、フラッシュを表示する例を示す。
表示画像は３Ｄ（３次元）で表記されていて、あらかじめカーソルが置かれた位置により何を表示するかを決めてあるので、表示画像が斜めになっていても表示ができる構造としている。
【００１５】
比較表示エリア内に表示されている複数の３Ｄ画像は、カーソル操作により、各々単独にその画像を移動、転回、拡大・縮小することが可能である。
図４から図６の比較表示エリア右下に画像操作のアイコンを示す。
左から、拡大／縮小、位置移動、回転、画像操作のヘルプ機能を表している。
【００１６】
個別に大きさを変化させた後、元の相対寸法に合わせるには、比較指定項目の最初に「主な機能」ボタン、または「サイズ」ボタンを押すことで比較対象物の相対的な寸法は元に戻すことができる。
本実施例では、比較表示エリアをモニタ画面の上部に分割した例を示したが、対象物の種類により上、右、左等に表示することもできる。
【００１７】
インターネットショッピングでは、商品の購入決定の手順があるが、本実施例では、各々の商品説明の欄の右下に「購入」ボタンを設けてある。
購入ボタンを押された後の動作については、インターネットショッピングにおける注文（発注）と同様の処理となるので、説明を省略する。
【産業上の利用可能性】
【００１８】
本発明は、選択された複数の対象物の立体画像と説明文を基に、モニタ画面上にて比較検討ができるので、商品の販売に限らず、デザインの検討、教育現場、バーチャル美術館など利用範囲は広い。
【図面の簡単な説明】
【００１９】
【図１】インターネットで機種比較のサイトをアクセスしたときのモニタ画面を示す。
【図２】選択方法として、「メーカから選ぶ」を指定したときのモニタ画面を示す。
【図３】表示された、機種のリストから１機種選択したときのモニタ画面を示す。
【図４】機種を２種選択後に図３の「比較」ボタンを押した後のモニタ画面を示す。
【図５】カーソルを合わせて寸法を表示した状態のモニタ画面を示す。
【図６】カーソルを合わせてその部分の名称・機能を表示した状態のモニタ画面を示す。
【図１】
2005063148.tif 000003
【図２】
2005063148.tif 000004
【図３】
2005063148.tif 000005
【図４】
2005063148.tif 000006
【図５】
2005063148.tif 000007
【図６】
2005063148.tif 000008